(57)【要約】【課題】第１のコネクタと第２のコネクタとの接続操作を行なう際、当該各コネクタへの落下菌の付着を防止しつつ、その接続操作を容易に行なうことができるカバー用構造体およびコネクタ接続用補助ユニットを提供すること。【解決手段】カバー用構造体１は、透析液が通過する透析ラインの途中を分離可能に接続する第１のコネクタと第２のコネクタとを接続するコネクタ接続操作を補助する補助具６とともに使用されるものである。このカバー用構造体１は、板状をなす透明な天板２１を有するカバー部材２を備え、コネクタ接続操作を行なう際、天板２１の平面視で、天板２１を介して前記接続操作を視認しつつ、天板２１と重なる範囲内でコネクタ接続操作を行なうよう使用される。【選択図】図１
2017176359.tif 000002
【特許請求の範囲】
【請求項１】
透析液が通過する透析ラインの途中を分離可能に接続する第１のコネクタと第２のコネクタとの接続操作を補助する補助具とともに使用されるカバー用構造体であって、
板状をなす透明な天板を有するカバー部材を備え、
前記接続操作を行なう際、前記天板の平面視で、該天板を介して前記接続操作を視認しつつ、前記天板と重なる範囲内で前記接続操作を行なうよう使用されることを特徴とするカバー用構造体。
【請求項２】
前記天板は、前記接続操作が開始されてから終了するまでの間、前記補助具をその上方から覆った状態となる請求項１に記載のカバー用構造体。
【請求項３】
前記カバー部材は、前記天板の縁部から板状に突出形成された少なくとも１枚の側壁板を有する請求項１または２に記載のカバー用構造体。
【請求項４】
前記天板は、その平面視で四角形をなすものであり、
前記側壁板は、前記四角形の４つの辺のうちの３つの辺に配置されている請求項３に記載のカバー用構造体。
【請求項５】
前記四角形の前記３つの辺を除く残りの１つの辺側で前記接続操作を行なうよう使用される請求項４に記載のカバー用構造体。
【請求項６】
前記補助具は、前記第１のコネクタを一時的に保持する第１の保持部と、第２のコネクタを一時的に保持する第２の保持部とを有するものであり、
前記天板には、前記第１の保持部に前記第１のコネクタを保持させる旨を指示する第１の指示部と、前記第２の保持部に前記第２のコネクタを保持させる旨を指示する第２の指示部とが付されている請求項１ないし５のいずれか１項に記載のカバー用構造体。
【請求項７】
前記補助具は、前記第１のコネクタと前記第２のコネクタとのうちの一方のコネクタに着脱自在に装着されるキャップを保持する第３の保持部を有するものであり、
前記天板には、前記第３の保持部に前記キャップを保持させる旨を指示する第３の指示部が付されている請求項６に記載のカバー用構造体。
【請求項８】
前記補助具が載置される台座を備える請求項１ないし７のいずれか１項に記載のカバー用構造体。
【請求項９】
前記カバー部材は、前記台座に対して回動可能に支持されている請求項８に記載のカバー用構造体。
【請求項１０】
請求項１ないし９のいずれか１項に記載のカバー用構造体と、
前記補助具とを備えることを特徴とするコネクタ接続用補助ユニット。
【発明の詳細な説明】
【技術分野】
【０００１】
本発明は、カバー用構造体およびコネクタ接続用補助ユニットに関する。
【背景技術】
【０００２】
近年、腹膜透析による治療法は、人工腎臓による透析法に比し、装置、器具が小型で簡易であり、治療費も安いこと、腹膜癒着の防止が可能となったこと、患者の負担が少ないこと等の理由から、注目されている。
【０００３】
この腹膜透析法のうち、特に連続的携帯式腹膜透析法（Continuous Ambulatory Peritoneal Dialysis）は、患者自身が自宅や職場で透析液の容器（バッグ）の交換を行なうことができるため、社会復帰がし易く、大いに注目されている。
【０００４】
この連続的携帯式腹膜透析法では、患者側に接続されたチューブと、透析液が入った透析液バッグ側に接続されたチューブとを接続する。これらのチューブ同士の接続は、各チューブの端部にそれぞれ設置されたコネクタ同士の接続により行なわれる（例えば、特許文献１参照）。
【０００５】
しかしながら、特許文献１に記載のコネクタ同士の接続では、その接続操作中に、当該各コネクタの内側に落下菌が付着することがある。このような落下菌の付着は、腹膜透析では好ましくない。
【先行技術文献】
【特許文献】
【０００６】
【特許文献１】特開２００３−２１０５７４号公報
【発明の概要】
【発明が解決しようとする課題】
【０００７】
本発明の目的は、第１のコネクタと第２のコネクタとの接続操作を行なう際、当該各コネクタへの落下菌の付着を防止しつつ、その接続操作を容易に行なうことができるカバー用構造体およびコネクタ接続用補助ユニットを提供することにある。
【課題を解決するための手段】
【０００８】
このような目的は、下記（１）〜（１０）の本発明により達成される。
（１）  透析液が通過する透析ラインの途中を分離可能に接続する第１のコネクタと第２のコネクタとの接続操作を補助する補助具とともに使用されるカバー用構造体であって、
板状をなす透明な天板を有するカバー部材を備え、
前記接続操作を行なう際、前記天板の平面視で、該天板を介して前記接続操作を視認しつつ、前記天板と重なる範囲内で前記接続操作を行なうよう使用されることを特徴とするカバー用構造体。
【０００９】
（２）  前記天板は、前記接続操作が開始されてから終了するまでの間、前記補助具をその上方から覆った状態となる上記（１）に記載のカバー用構造体。
【００１０】
（３）  前記カバー部材は、前記天板の縁部から板状に突出形成された少なくとも１枚の側壁板を有する上記（１）または（２）に記載のカバー用構造体。
【００１１】
（４）  前記天板は、その平面視で四角形をなすものであり、
前記側壁板は、前記四角形の４つの辺のうちの３つの辺に配置されている上記（３）に記載のカバー用構造体。
【００１２】
（５）  前記四角形の前記３つの辺を除く残りの１つの辺側で前記接続操作を行なうよう使用される上記（４）に記載のカバー用構造体。
【００１３】
（６）  前記補助具は、前記第１のコネクタを一時的に保持する第１の保持部と、第２のコネクタを一時的に保持する第２の保持部とを有するものであり、
前記天板には、前記第１の保持部に前記第１のコネクタを保持させる旨を指示する第１の指示部と、前記第２の保持部に前記第２のコネクタを保持させる旨を指示する第２の指示部とが付されている上記（１）ないし（５）のいずれかに記載のカバー用構造体。
【００１４】
（７）  前記補助具は、前記第１のコネクタと前記第２のコネクタとのうちの一方のコネクタに着脱自在に装着されるキャップを保持する第３の保持部を有するものであり、
前記天板には、前記第３の保持部に前記キャップを保持させる旨を指示する第３の指示部が付されている上記（６）に記載のカバー用構造体。
【００１５】
（８）  前記補助具が載置される台座を備える上記（１）ないし（７）のいずれかに記載のカバー用構造体。
【００１６】
（９）前記カバー部材は、前記台座に対して回動可能に支持されている上記（８）に記載のカバー用構造体。
【００１７】
（１０）  上記（１）ないし（９）のいずれかに記載のカバー用構造体と、
前記補助具とを備えることを特徴とするコネクタ接続用補助ユニット。
【発明の効果】
【００１８】
本発明によれば、第１のコネクタと第２のコネクタとの接続操作を行なう際、その接続操作を、カバー部材の天板を介して視認することができる。また、この接続操作は、天板と重なる範囲内で、例えば片手で行なうこともできる。これにより、第１のコネクタや第２のコネクタへの落下菌の付着を防止しつつ、前記接続操作を容易に行なうことができる。
【図面の簡単な説明】
【００１９】
【図１】図１は、本発明のコネクタ接続用補助ユニット（カバー用構造体）の実施形態を示す斜視図（カバー用構造体のカバー部材が閉じた状態を示す斜視図）である。
【図２】図２は、本発明のコネクタ接続用補助ユニット（カバー用構造体）の実施形態を示す斜視図（カバー用構造のカバー部材が開いた状態を示す斜視図）である。
【図３】図３は、本発明のコネクタ接続用補助ユニット（カバー用構造体）の使用方法を順に示す概略平面図である。
【図４】図４は、本発明のコネクタ接続用補助ユニット（カバー用構造体）の使用方法を順に示す概略平面図である。
【図５】図５は、本発明のコネクタ接続用補助ユニット（カバー用構造体）の使用方法を順に示す概略平面図である。
【図６】図６は、本発明のコネクタ接続用補助ユニット（カバー用構造体）の使用方法を順に示す概略平面図である。
【図７】図７は、本発明のコネクタ接続用補助ユニット（カバー用構造体）の使用方法を順に示す概略平面図である。
【図８】図８は、本発明のコネクタ接続用補助ユニット（カバー用構造体）の使用方法を順に示す概略平面図である。
【図９】図９は、本発明のコネクタ接続用補助ユニット（カバー用構造体）の使用方法を順に示す概略平面図である。
【発明を実施するための形態】
【００２０】
以下、本発明のカバー用構造体およびコネクタ接続用補助ユニットを添付図面に示す好適な実施形態に基づいて詳細に説明する。
図１は、本発明のコネクタ接続用補助ユニット（カバー用構造体）の実施形態を示す斜視図（カバー用構造体のカバー部材が閉じた状態を示す斜視図）である。図２は、本発明のコネクタ接続用補助ユニット（カバー用構造体）の実施形態を示す斜視図（カバー用構造体のカバー部材が開いた状態を示す斜視図）である。図３〜図９は、それぞれ、本発明のコネクタ接続用補助ユニット（カバー用構造体）の使用方法を順に示す概略平面図である。なお、以下では、説明の都合上、図１および図２中の上側を「上」または「上方」、下側を「下」または「下方」と言う。また、図３〜図９中の上側を「奥」、下側を「手前」、左側を「左」、右側を「右」と言う。
【００２１】
図１、図２に示すコネクタ接続用補助ユニット１０は、補助具６と、補助具６とともに使用されるカバー用構造体１とを備えている。このコネクタ接続用補助ユニット１０は、腹膜透析法のうち、特に連続的携帯式腹膜透析法（Continuous Ambulatory Peritoneal Dialysis）に好適に用いることができるものである。「連続的携帯式腹膜透析法」とは、患者が腹膜透析を行なうに際し、自らの腹膜内（腹腔内）に透析液を注入（供給）し、その後、透析液の排液を回収するものである。
【００２２】
連続的携帯式腹膜透析法では、透析液（その排液を含む）が通過する透析ライン１１を用いる（例えば図９参照）。この透析ライン１１は、透析液が予め充填された透析液バッグや透析液の排液を回収する排液バッグ等に接続された第１のチューブ１２と、患者の腹膜側に接続された第２のチューブ１３と、第１のチューブ１２と第２のチューブ１３とを着脱自在に接続する腹膜透析用コネクタ１４とを有している。
【００２３】
腹膜透析用コネクタ１４は、第１のコネクタ１５と、第２のコネクタ１６とを有している。そして、第１のコネクタ１５と第２のコネクタ１６とが接続された図９に示す状態では、透析ライン１１を透析液が上流から下流に向かって流下することができる。また、第１のコネクタ１５と第２のコネクタ１６との接続が解除された図３に示す状態では、透析ライン１１の途中が分離される。これにより、例えば使用済の透析液バッグや排液バッグを、新たな、すなわち、未使用の透析液バッグや排液バッグに交換することができる。
【００２４】
第１のコネクタ１５は、円筒状をなし、その第１のチューブ１２側に、外径が拡径したフランジ部１５１を有している。第２のコネクタ１６は、第１のコネクタ１５よりも大きい円筒状をなし、その第２のチューブ１３側に、外径が拡径したフランジ部１６１を有している。そして、第２のコネクタ１６が第１のコネクタ１５に挿入され、互いに螺合することにより、第１のコネクタ１５と第２のコネクタ１６とが液密的に接続される。
【００２５】
また、第１のコネクタ１５と第２のコネクタ１６との接続が解除された状態では、第１のコネクタ１５に第１のキャップ１７が着脱自在に装着され、第２のコネクタ１６に第２のキャップ１８が着脱自在に装着される。
【００２６】
第１のキャップ１７は、一端側が閉塞した壁部１７１を有する円筒状をなす部材で構成されている。この第１のキャップ１７には、第１のコネクタ１５を、フランジ部１５１が当接するまで嵌合させることができる。これにより、第１のコネクタ１５に第１のキャップ１７が装着された状態となり、よって、当該第１のコネクタ１５での無菌状態をできる限り維持することができる。また、第１のキャップ１７は、壁部１７１側に、外径が拡径したフランジ部１７２を有している。
【００２７】
第２のキャップ１８も、一端側が閉塞した壁部１８１を有する円筒状をなす部材で構成されている。この第２のキャップ１８には、第２のコネクタ１６を、フランジ部１６１が当接するまで螺合させることができる。これにより、第２のキャップ１８に第２のコネクタ１６が装着された状態となり、よって、当該第２のコネクタ１６での無菌状態をできる限り維持することができる。
【００２８】
図３〜図９に示すように、補助具６は、第１のコネクタ１５と第２のコネクタ１６との接続操作（以下「コネクタ接続操作」と言う）を補助するものである。補助具６は、ベース７と、ベース７上に支持されたコネクタ保持部８とを有している。
【００２９】
ベース７は、板状をなすものであり、その下面７１、すなわち、裏側の面に複数の吸盤（図示せず）が設置されている。この各吸盤により、後述するように補助具６をカバー用構造体１に固定することができる。
【００３０】
図１、図２に示すように、コネクタ保持部８は、ベース７の上面７２、すなわち、表側の面に一体的に突出形成されている。そして、図３（図４〜図９についても同様）に示すように、コネクタ保持部８は、上面８９１と、５つの側面８９２、側面８９３、側面８９４、側面８９５、側面８９６とを有している。側面８９２と側面８９５とは、平行に配置されており、側面８９２が右側面、側面８９５が左側面となっている。側面８９４と側面８９６とは、側面８９２と側面８９５とに直交する方向に平行に配置され、側面８９４が手前側側面、側面８９６が奥側側面となっている。側面８９３は、側面８９２と側面８９４との間で、右斜め手前側に傾斜した側面となっている。
【００３１】
また、このコネクタ保持部８は、第１の保持部８１と、第２の保持部８２と、第３の保持部８３とを有している。
【００３２】
第１の保持部８１は、第１のキャップ１７が装着された第１のコネクタ１５を、当該第１のキャップ１７を介して、一時的に保持する部分である。図３に示すように、第１の保持部８１は、上面８９１と側面８９３とに開口した凹部８１１で構成されている。この凹部８１１に第１のキャップ１７を上方から挿入することができる。このとき、第１のキャップ１７のフランジ部１７２は、凹部８１１の奥側で幅が増大した幅増大部８１２に係合する。これにより、第１のコネクタ１５を、第１のキャップ１７ごと保持することができる（例えば図４参照）。また、この第１のコネクタ１５は、右斜め手前側に傾斜して保持された状態となる。
【００３３】
第２の保持部８２は、第２のキャップ１８が装着された第２のコネクタ１６を一時的に保持する部分である。図３に示すように、第２の保持部８２は、上面８９１と側面８９２とに開口した凹部８２１で構成されている。この凹部８２１に第２のコネクタ１６を上方から挿入することができる。このとき、第２のコネクタ１６のフランジ部１６１は、凹部８２１の左側で幅が減少した幅減少部８２２に係合する。これにより、第２のコネクタ１６を保持することができる（例えば図４参照）。また、この第２のコネクタ１６は、右側に臨んだ状態で保持される。
【００３４】
また、第２の保持部８２の左側には、第２のコネクタ１６に接続された第２のチューブ１３を保持するチューブ保持部８４も設けられている。チューブ保持部８４は、凹部８２１に連通し、上面８９１と側面８９５とに開口した凹部８４１で構成されている。この凹部８４１に第２のチューブ１３を上方から挿入し、配設することができる。また、このとき、第２のチューブ１３は、第２のコネクタ１６から左側に向かって延出した状態となる。
【００３５】
第３の保持部８３は、第２のキャップ１８を、台座１９を介して保持する部分である。図３に示すように、台座１９は、板状をなし、第３の保持部８３に例えば挟持や係合によって、ベース７上に固定される。また、台座１９の中央部には、上方に向かって突出した突出部１９１が形成されている。この突出部１９１に第２のキャップ１８を嵌合させることができる（例えば図７参照）。これにより、第２のキャップ１８は、台座１９を介して第３の保持部８３に保持されることとなる。
【００３６】
補助具６の構成材料としては、特に限定されず、例えば、補助具６を金型成形で製造する場合、その製造が容易であるという点で、環状ポリオレフィン、ポリエステル等のような各種樹脂材料を用いるのが好ましい。
【００３７】
図１（図２についても同様）に示すように、カバー用構造体１は、カバー部材２と、台座３と、回動支持部材４とを備えている。このカバー用構造体１は、例えばテーブル２００上に置いて使用される。
【００３８】
カバー部材２は、コネクタ接続操作を行なう際に、補助具６ごと、第１のコネクタ１５と第２のコネクタ１６とを上方から覆うことができるものである。
【００３９】
台座３は、板状をなし、補助具６が載置されるものである。前述したように、補助具６のベース７には、複数の吸盤が設置されている。そして、各吸盤は、台座３の上面３１に吸着することができる。これにより、補助具６がカバー用構造体１に対して着脱自在に固定され、その固定状態で、補助具６によるコネクタ接続操作の補助が安定して行なわれる。また、コネクタ接続操作完了後は、補助具６を台座３から取り外してもよい。
【００４０】
カバー部材２と台座３とは、回動支持部材４を介して連結されている。回動支持部材４は、カバー部材を台座３に対して回動可能に支持する蝶番で構成されている。これにより、カバー部材２は、図１に示す閉状態と、図２に示す開状態とを取り得る。そして、コネクタ接続操作を行なう際には、カバー部材２を閉状態とし、コネクタ接続操作を行なう前またはコネクタ接続操作を行なった後には、カバー部材２を開状態とすることができる。
【００４１】
図１に示すように、カバー部材２は、天板２１と、３枚の側壁板２２、側壁板２３、側壁板２４とを有している。
【００４２】
天板２１は、板状をなし、その平面視で長方形をなすものである。この天板２１の大きさとしては、特に限定されず、例えば、長辺方向の長さＬ２１−１が１５０ｍｍ以上、３００ｍｍ以下であるのが好ましく、１６０ｍｍ以上、２００ｍｍ以下であるのがより好ましい。また、短辺方向の長さＬ２１−２は、１００ｍｍ以上、２００ｍｍ以下であるのが好ましく、１１０ｍｍ以上、１５０ｍｍ以下であるのがより好ましい。これにより、カバー部材２は、閉状態で、補助具６ごと、第１のコネクタ１５と第２のコネクタ１６とを上方から過不足なく覆うことができる。よって、後述するように、コネクタ接続操作を行なう際、第１のコネクタ１５や第２のコネクタ１６への落下菌の付着を防止しつつ、そのコネクタ接続操作を容易に行なうことができる。
【００４３】
また、閉状態では、天板２１と台座３との間に間隙２５が形成される。この間隙２５の大きさ、すなわち、ギャップ長Ｌ２５としては、特に限定されず、例えば、３６ｍｍ以上、１５０ｍｍ以下であるのが好ましく、５０ｍｍ以上、１００ｍｍ以下であるのがより好ましい。これにより、コネクタ接続操作を行なう際、第１のコネクタ１５や第２のコネクタ１６を把持する手を間隙２５に容易に挿入することができ、よって、そのコネクタ接続操作を安定して迅速に行なうことができる。
【００４４】
また、天板２１は、透明性を有している。これにより、天板２１を介してコネクタ接続操作を視認することができる。
【００４５】
天板２１は、前述したように平面視で長方形をなすものであるが、その角部は丸みを帯びていてもよい。この場合、丸みを帯びた角部は、閉状態で、補助具６の第１の保持部８１に保持された第１のコネクタ１５側に位置する角部であるのが好ましい。
【００４６】
天板２１の縁部には、側壁板２２〜側壁板２４が一体的に板状に突出形成されている。これらの側壁板２２〜側壁板２４は、長方形をなす天板２１の４辺のうち、３辺に配置されている。
【００４７】
側壁板２２と側壁板２４とは、天板２１の短辺にそれぞれ配置されている。側壁板２２は、閉状態で補助具６の側面８９４に対向する。また、側壁板２２は、閉状態で台座３の上面３１に当接して、ギャップ長Ｌ２５を維持することができる。一方、側壁板２４は、閉状態で補助具６の側面８９６に対向する。この側壁板２４には、回動支持部材４を構成する蝶番の片方の蝶番片４１が例えばボルトにより固定されている、すなわち、ねじ止めされている。なお、前記蝶番のもう片方の蝶番片４２は、台座３に例えばボルトにより固定されている。
【００４８】
側壁板２４は、天板２１の長辺に配置されており、閉状態で補助具６の側面８９５に対向する。この側壁板２４は、閉状態で台座３の上面３１に当接して、天板２１の撓みを防止することができる。また、側壁板２４には、欠損部で構成され、閉状態で第２のチューブ１３を逃げる逃げ部２４１が形成されている。これにより、閉状態での側壁板２４と第２のチューブ１３との干渉を防止することができる。
【００４９】
このような側壁板２２〜側壁板２４が設けられていることにより、カバー部材２では、天板２１の前記３辺を除く残りの１辺側が開口部２６となる。閉状態では、第１のコネクタ１５や第２のコネクタ１６を把持する手を、この開口部２６を介して間隙２５に挿入することができる。
【００５０】
以上のようなカバー部材２の構成材料としては、特に限定されず、例えば、ポリ塩化ビニル、ポリエチレン、ポリプロピレン、環状オレフィンの単独重合体や環状オレフィンの共重合体等の環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、透明性や成形が容易であるという点で、ポリプロピレン、環状ポリオレフィン、ポリエステル、ポリ−（４−メチルペンテン−１）のような樹脂が好ましい。
【００５１】
図５に示すように、カバー部材２（天板２１）には、第１の指示部５１と、第２の指示部５２と、第３の指示部５３とが付されている。
【００５２】
第１の指示部５１は、補助具６の第１の保持部８１に第１のコネクタ１５を保持させる旨を指示するものであり、本実施形態では「透析液側」と表示されている。また、この第１の指示部５１は、閉状態にあるカバー部材２の平面視で、コネクタ接続操作の妨げとならず、第１の保持部８１にできる限り近位となる位置に配置されている。これにより、コネクタ接続操作を行なうに際し、第１の保持部８１に第１のコネクタ１５を誤りなく確実に保持させることができる。
【００５３】
第２の指示部５２は、補助具６の第２の保持部８２に第２のコネクタ１６を保持させる旨を指示するものであり、本実施形態では「お腹側」と表示されている。また、この第２の指示部５２は、閉状態にあるカバー部材２の平面視で、コネクタ接続操作の妨げとならず、第２の保持部８２にできる限り近位となる位置に配置されている。これにより、コネクタ接続操作を行なうに際し、第２の保持部８２に第２の保持部８２を誤りなく確実に保持させることができる。
【００５４】
第３の指示部５３は、補助具６の第３の保持部８３に第２のキャップ１８を保持させる旨を指示するものであり、本実施形態では「保護キャップ」と表示されている。また、この第３の指示部５３は、閉状態にあるカバー部材２の平面視で、コネクタ接続操作の妨げとならず、第３の保持部８３にできる限り近位となる位置に配置されている。これにより、コネクタ接続操作を行なうに際し、第３の保持部８３に第２のキャップ１８を誤りなく確実に保持させることができる。
【００５５】
なお、天板２１に対して、第１の指示部５１、第２の指示部５２、第３の指示部５３を付す方法としては、特に限定されず、例えば、ラベルを貼付する方法、刻印による方法、印刷による方法等が挙げられる。
【００５６】
次に、コネクタ接続用補助ユニット１０を使用して、コネクタ接続操作を行なう方法について、図３〜図９を参照しつつ説明する。
【００５７】
なお、コネクタ接続操作に先立って、第１のコネクタ１５には、第１のキャップ１７が装着されており、第２のコネクタ１６には、第２のキャップ１８が装着されている。また、補助具６の第３の保持部８３には、第２のコネクタ１６から取り外された第２のキャップ１８を支持する台座１９が予め設置されている。また、カバー用構造体１には、補助具６が予め固定されている。
【００５８】
また、コネクタ接続操作に先立って、カバー部材２を閉状態として、第１のコネクタ１５および第２のコネクタ１６を補助具６のどこに保持させるべきかを、第１の指示部５１および第２の指示部５２で確認しておくのが好ましい。
【００５９】
［１］  コネクタ接続操作を行なうに際し、まず、カバー部材２を開状態として、図３、図４に示すように、第１のキャップ１７が装着されている第１のコネクタ１５を、補助具６の第１の保持部８１に保持させる。また、第２のキャップ１８が装着されている第２のコネクタ１６を、第２の保持部８２に保持させる。
【００６０】
なお、コネクタ接続操作を行なうのが患者自身で、その患者が例えば右利きの場合、コネクタ接続用補助ユニット１０を図４に示す姿勢で、すなわち、補助具６に保持された第１のコネクタ１５および第２のコネクタ１６が向かって右側に位置するように、テーブル２００上に置くのが好ましい。以降では、患者が右利きの場合を一例としている。
【００６１】
［２］  次に、図５に示すように、カバー部材２を閉状態とする。この閉状態では、天板２１は、コネクタ接続操作が開始されてから終了するまでの間、補助具６をほぼ中心として、その周辺までを、上方から覆うことができる（図５〜図８参照）。これにより、天板２１の下側では、落下菌の付着が防止されることとなる。そして、コネクタ接続用補助ユニット１０では、天板２１の平面視で、当該天板２１と重なる、開口部２６から補助具６の側面８９２までの領域が、コネクタ接続操作を行なうのが推奨されるコネクタ接続操作領域２７となる。また、コネクタ接続操作領域２７でのコネクタ接続操作は、患者自身が天板２１を介して視認しつつ行なわれる。
【００６２】
また、カバー部材２を閉状態とした後に第１の指示部５１および第２の指示部５２を見て、第１のコネクタ１５および第２のコネクタ１６がそれぞれ決められた所定の位置に保持されている、すなわち、第１のコネクタ１５が第１の保持部８１に保持され、第２のコネクタ１６が第２の保持部８２に保持されているのを確認するのが好ましい。
【００６３】
［３］  次に、図６に示すように、第２のキャップ１８を右手で摘まんで、当該第２のキャップ１８を第２のコネクタ１６から取り外す。この取り外し操作は、第２のコネクタ１６が補助具６で保持されているため、第２のコネクタ１６を左手で把持せずとも、右手だけで第２のキャップ１８を弛めれば、すなわち、第２のコネクタ１６と螺合を解除すれば、容易に行なうことができる。
【００６４】
また、第２のキャップ１８が取り外された第２のコネクタ１６は、露出した状態となるが、依然としてコネクタ接続操作領域２７内にあるため、落下菌の付着が防止されている。
【００６５】
また、取り外された第２のキャップ１８は、台座１９を介して第３の保持部８３に保持させておく。
【００６６】
［４］  次に、図７に示すように、第１のコネクタ１５を右手で摘まんで、当該第１のコネクタ１５を第１のキャップ１７から取り外す。この取り外し操作は、第１のキャップ１７が補助具６で保持されているため、第１のキャップ１７を左手で把持せずとも、右手で第１のコネクタ１５を右側に引張れば、容易に行なうことができる。また、第１のキャップ１７から取り外された第１のコネクタ１５は、露出した状態となるが、コネクタ接続操作領域２７内から外れなければ、落下菌の付着が防止される。
また、第１のキャップ１７は、補助具６に保持されたままとなる。
【００６７】
［５］  次に、図８に示すように、コネクタ接続操作領域２７内で第１のコネクタ１５を移動させて、当該第１のコネクタ１５を第２のコネクタ１６に接続する。この接続操作は、第２のコネクタ１６が補助具６で保持されているため、第２のコネクタ１６を左手で把持せずとも、右手だけで第１のコネクタ１５を第２のコネクタ１６にねじ込めば、容易に行なうことができる。
【００６８】
［６］  次に、カバー部材２を開状態として、図９に示すように、第１のコネクタ１５が接続された第２のコネクタ１６を補助具６から取り外せば、コネクタ接続操作が完了する。
【００６９】
以上のように、コネクタ接続用補助ユニット１０を使用することにより、天板２１を介してコネクタ接続操作を視認しつつ、当該コネクタ接続操作をコネクタ接続操作領域２７の範囲内で片手で行なうことができる。これにより、第１のコネクタ１５や第２のコネクタ１６への落下菌の付着を防止しつつ、そのコネクタ接続操作を容易に行なうことができる。
【００７０】
以上、本発明のカバー用構造体およびコネクタ接続用補助ユニットを図示の実施形態について説明したが、本発明は、これに限定されるものではなく、カバー用構造体およびコネクタ接続用補助ユニットを構成する各部は、同様の機能を発揮し得る任意の構成のものと置換することができる。また、任意の構成物が付加されていてもよい。
【００７１】
また、カバー部材の天板は、その平面視で長方形をなすものであるが、これに限定されず、例えば、正方形等の他の四角形状をなすものであってもよい。
【００７２】
また、カバー部材は、前記実施形態では３枚の側壁板を有しているが、これに限定されず、例えば、側壁板が省略されていてもよいし、１枚、２枚または４枚以上の側壁板を有していてもよい。
【符号の説明】
【００７３】
１            カバー用構造体
２            カバー部材
２１          天板
２２、２３、２４  側壁板
２４１        逃げ部
２５          間隙
２６          開口部
２７          コネクタ接続操作領域
３            台座
３１          上面
４            回動支持部材
４１、４２    蝶番片
５１          第１の指示部
５２          第２の指示部
５３          第３の指示部
６            補助具
７            ベース
７１          下面
７２          上面
８            コネクタ保持部
８１          第１の保持部
８１１        凹部
８１２        幅増大部
８２          第２の保持部
８２１        凹部
８２２        幅減少部
８３          第３の保持部
８４          チューブ保持部
８４１        凹部
８９１        上面
８９２、８９３、８９４、８９５、８９６  側面
１０          コネクタ接続用補助ユニット
１１          透析ライン
１２          第１のチューブ
１３          第２のチューブ
１４          腹膜透析用コネクタ
１５          第１のコネクタ
１５１        フランジ部
１６          第２のコネクタ
１６１        フランジ部
１７          第１のキャップ
１７１        壁部
１７２        フランジ部
１８          第２のキャップ
１８１        壁部
１９          台座
１９１        突出部
２００        テーブル
Ｌ２１−１、Ｌ２１−２  長さ
Ｌ２５        ギャップ長
【図１】
2017176359.tif 000003
【図２】
2017176359.tif 000004
【図３】
2017176359.tif 000005
【図４】
2017176359.tif 000006
【図５】
2017176359.tif 000007
【図６】
2017176359.tif 000008
【図７】
2017176359.tif 000009
【図８】
2017176359.tif 000010
【図９】
2017176359.tif 000011